(57)【要約】【課題】  帽子の種類等に関わらず、どのような種類の帽子にも簡単に脱着可能にした照明具ホルダーを提供する。【解決手段】  照明具２０を巻き付け保持するベルト２を支持板１に取り付け、該支持板１を基盤３に回動可能に軸支させ、該基盤３を面ファスナー７ａを介して安全帽等の帽子３０側に貼り付けられる面ファスナー７ｂに着脱自在にした。【選択図】        図１
2006012725.tif 000002
【特許請求の範囲】
【請求項１】
照明具を巻き付け保持するベルトを支持板に取り付け、該支持板を基盤に回動可能に軸支させ、該基盤を面ファスナーを介して安全帽等の帽子側に貼り付けられる面ファスナーに着脱自在にした照明具ホルダー。
【請求項２】
前記ベルトの両端部を面ファスナー介して係合可能にした請求項１に記載の照明具ホルダー。
【請求項３】
前記ベルトを弾性回復性を有する伸縮材料で構成した請求項１または２に記載の照明具ホルダー。
【請求項４】
前記基盤を可撓性材料で構成した請求項１、２または３に記載の照明具ホルダー。
【発明の詳細な説明】
【技術分野】
【０００１】
本発明は照明具ホルダーに関し、さらに詳しくは、帽子の種類等を問わず、どのような種類の帽子にも簡単に脱着可能にした照明具ホルダーに関する。
【背景技術】
【０００２】
消防士用のヘルメットには照明具が取り付けられ、夜間の火災とかビル火災などで建物の奥深く侵入して消火作業する場合の活動を容易に行えるようにしている。しかし、ヘルメットに照明具が常時装着されていると、照明を必要としない消火活動のときには却って妨げになる場合がある。
【０００３】
特許文献１は、消防士用ヘルメットではないが、ヘルメットに照明具を脱着可能に装着するための取付具を開示している。しかし、この取付具は、自転車競技者用ヘルメットのように大きなスリット状孔を有するヘルメットを対象にして、そのスリット状孔を利用して照明具を装着するようにしたものである。そのため、スリット状孔を持たないヘルメットには適用することができず、汎用性がないという欠点がある。しかも、取付具に対する照明具の装着を蟻溝と凸部との嵌め合いで行っているため、そのような嵌め合い機構を持たない照明具の装着ができないうという問題がある。
【特許文献１】特開２００２−２８９０３０号公報
【発明の開示】
【発明が解決しようとする課題】
【０００４】
本発明の目的は、帽子の種類等に問わず、どのような種類の帽子にも簡単に脱着可能にした照明具ホルダーを提供することにある。
【課題を解決するための手段】
【０００５】
上記目的を達成する本発明の照明具ホルダーは、照明具を巻き付け保持するベルトを支持板に取り付け、該支持板を基盤に回動可能に軸支させ、該基盤を面ファスナーを介して安全帽等の帽子側に貼り付けられる面ファスナーに着脱自在にしたことを特徴とするものである。
【発明の効果】
【０００６】
上記のように本発明の照明具ホルダーは、ベルトで照明具を巻き付けるように保持するので、照明具の形状や大きさ関わらず対応して確実に保持することができる。また、照明具ホルダーは面ファスナーを介して帽子側に貼り付けられた面ファスナーに着脱自在にしているので、帽子の種類を問わず、どのような形態の面にも取り付けが可能になる。さらに、支持板を基盤に対して回動可能に軸支しているので、その回動を利用することにより照明具の光照射方向を上下方向に任意に変えることができる。
【発明を実施するための最良の形態】
【０００７】
図１および図２は、本発明の照明具ホルダーを例示し、図３は同照明具ホルダーにより照明具をヘルメットに取り付けた状態を示す。
【０００８】
図１および図２に示す照明具ホルダー１０において、１は長方形に形成された支持板、２は可撓性の帯状材からなるバンド、３は円板状の基盤である。２０は照明具ホルダー１０に保持される照明具である。
【０００９】
支持板１は左右両端部に一対ずつのスリット４、４；４、４を設け、これらスリット４、４；４、４に、それぞれバンド２、２が表裏に貫通するように差し通され、長手方向の中間部で保持されている。バンド２の両端部には、表裏互いに反対側の面に対して、雄雌互いに異なる面ファスナー５ａ，５ｂが貼り付けられている。このようにバンド２が取り付けられた支持板１は、連結軸６を介して基盤３に回動可能に連結されている。
【００１０】
基盤３には、その裏面に面ファスナー７ａが貼り付けられている。一方、図示してないヘルメット（帽子）側には面ファスナー７ｂが貼り付けられるようになっている。この面ファスナー７ｂは、上記面ファスナー７ａとは雄雌が逆であり、基盤３の裏面の面ファスナー７ａを係合させ貼り付けれることで、照明具ホルダー１０をヘルメット等の帽子に取り付けられるようになっている。
【００１１】
照明具２０を、図３に示すようにヘルメット３０に装着するには、次のようにすればよい。
【００１２】
まず、図１に示すように、左右のバンド２、２を上下に広げた状態にし、その中央部分に照明具２０を当て、次いで照明具２０の周囲にバンド２、２を巻き付けると共に、両端部の面ファスナー５ａ，５ｂを互いに係止させる。他方、予めヘルメット３０には面ファスナー７ｂを貼り付けておく。この面ファスナー７ｂに対し、上記の照明具２０を取り付けた照明具ホルダー１０を基盤３の面ファスナー７ａを係止させて接合すると、図３に示す状態に装着される。
【００１３】
本発明の照明具ホルダーによれば、ベルトを巻き付けて照明具を保持するので、照明具の形状や大きさに関わらず、広範囲の種類に対応して取り付けることができる。また、照明具ホルダーを帽子側へ面ファスナーを介して装着するため、帽子形状がどのような曲面であっても取り付けを可能にする。即ち、色々の形状の帽子に取り付けが可能である。また、支持板が基盤に対して回動可能であるので、照明具を任意の角度に傾斜させることができ、照射光の方向を上下方向に任意に調整することができる。
【００１４】
本発明において、照明具ホルダーの取付け対象となる帽子は特に限定されるものでなく、ヘルメットのほか一般の布製の作業帽などであってもよい。ヘルメットとしては、消防士用、警官用、自衛隊用、重作業用、探検家用などいずれにも適用することができる。また、帽子に対する取り付け位置は、図示のような側面のほか、頂面などの他の場所であってもよく、特に限定されない。
【００１５】
照明具の保持具であるベルトは、非伸長性の繊維バンドなどのほか、好ましくはゴムバンドなどのように、弾性回復性の伸縮材料を使用するとよい。このような弾性回復性の伸縮材料の使用により、保持可能な照明具の大きさの範囲を拡大すると共に、常に緊締力が作用するので保持を確実にすることができる。
【００１６】
また、基盤の材料としては、硬質の金属材や樹脂材でもよいが、好ましくはゴムシート、プラスチックシート等の可撓性材料がよい。可撓性材料で基盤を構成することで、ヘルメットなどの曲面に追従しやすくなるので、安定で確実な取り付けを可能にする。
【図面の簡単な説明】
【００１７】
【図１】本発明の照明具ホルダーを照明具保持前の状態を示す斜視図である。
【図２】同照明具ホルダーの要部を断面にして示す縦断面図である。
【図３】同照明具ホルダーにより照明具をヘルメットに装着した状態を示す斜視図である。
【符号の説明】
【００１８】
１  支持板
２  バンド
３  基盤
４  スリット
５ａ，５ｂ，７ａ，７ｂ  面ファスナー
６  連結軸
１０  照明具ホルダー
２０  照明具
３０  ヘルメット
【図１】
2006012725.tif 000003
【図２】
2006012725.tif 000004
【図３】
2006012725.tif 000005